(57)【要約】      （修正有）【課題】一般ユーザが簡単に番組記述言語により再生された画像および音響情報を取得できる演出配信装置およびその方法を提供する。【解決手段】番組記述言語に基づく演出を配信する演出配信装置であって、ネットワーク経由で文字情報および必要な演出情報を取得するフロントエンドサーバ１１、文字情報および演出情報に基づいて番組記述言語により記述されたスクリプトを生成する演出サーバ１３、必要な演出情報を参照しスクリプトに対応したムービーファイルを生成するレンダリングサーバ１４、生成されたムービーファイルを格納するアーカイブサーバ１５を備える。フロントエンドサーバ１１は、所定の配信先アドレスに対しアーカイブサーバの参照アドレスにリンク可能な情報を含むメールを送信する。【選択図】図２
2009033257.tif 000002
【特許請求の範囲】
【請求項１】
番組記述言語に基づく演出を配信する演出配信装置であって、
ネットワーク経由で文字情報および必要な演出情報を取得し、
該文字情報および該必要な演出情報に基づいて番組記述言語により記述されたスクリプトを生成し、
該必要な演出情報を参照し該スクリプトに対応したムービーファイルを生成し、
該ムービーファイルを所定の参照アドレスにネットワークから参照可能に格納し、
所定の配信先アドレスに対し該参照アドレスにリンク可能な情報を含むメールを送信すること、
を特徴とする演出配信装置。
【請求項２】
番組記述言語に基づく演出を配信する演出配信装置であって、
ネットワーク経由で文字情報および必要な演出情報を取得するフロントエンドサーバと、
該文字情報および該演出情報に基づいて番組記述言語により記述されたスクリプトを生成する演出サーバと、
該必要な演出情報を参照し該スクリプトに対応したムービーファイルを生成するレンダリングサーバと、
生成された該ムービーファイルを格納するアーカイブサーバと、を備え、
前記フロントエンドサーバは、所定の配信先アドレスに対し該アーカイブサーバの参照アドレスにリンク可能な情報を含むメールを送信することを特徴とする演出配信装置。
【請求項３】
特定のクライアントから送信されたメールから前記文字情報および前記必要な演出情報を取得する、
請求項１または２に記載の演出配信装置。
【請求項４】
特定のクライアントから送信されたメールに添付されたファイルから前記文字情報および前記必要な演出情報を取得する、
請求項１または２に記載の演出配信装置。
【請求項５】
特定のクライアントから指定された１以上のウェブページから前記文字情報および前記必要な演出情報を取得する、
請求項１または２に記載の演出配信装置。
【請求項６】
前記特定のクライアントから演出に対するプリフェランス情報を取得し、
取得した該プリフェランス情報に基づき前記スクリプトを生成する、
請求項３乃至５のいずれか一項に記載の演出配信装置。
【請求項７】
前記配信先アドレスは、前記特定のクライアントから取得するものである、
請求項３乃至６のいずれか一項に記載の演出配信装置。
【請求項８】
予め指定された１以上のウェブページから定められたタイミングで前記文字情報および前記必要な演出情報を取得する、
請求項１または２に記載の演出配信装置。
【請求項９】
前記文字情報から前記スクリプトの関連情報を生成し記憶する、
請求項１乃至８のいずれか一項に記載の演出配信装置。
【請求項１０】
前記必要な演出情報に含まれる静止画像情報または動画像情報を利用して前記スクリプトに対応したムービーファイルを生成する、
請求項１乃至９のいずれか一項に記載の演出配信装置。
【請求項１１】
前記レンダリングサーバは、
前記スクリプトを再生するものであって、前記スクリプトにより指定された画像および音響を再生する再生部と、
再生された前記画像から連続フレーム画像データを生成し、再生された前記音響から音響データを記録する記録部と、
記録された連続フレーム画像データおよび音響データをムービーファイルに変換する変換部と、を備える、
請求項２に記載の演出配信装置。
【請求項１２】
番組記述言語に基づく演出を配信する演出配信方法であって、
ネットワーク経由で文字情報および必要な演出情報を取得させるステップと、
該文字情報および該必要な演出情報に基づいて番組記述言語により記述されたスクリプトを生成させるステップと、
該必要な演出情報を参照し該スクリプトに対応したムービーファイルを生成させるステップと、
該ムービーファイルを所定の参照アドレスにネットワークから参照可能に格納するステップと、
所定の配信先アドレスに対し該参照アドレスにリンク可能な情報を含むメールを送信するステップと、
を備えたことを特徴とする演出配信方法。
【発明の詳細な説明】
【技術分野】
【０００１】
本発明は、番組記述言語の応用に係り、特に、インターネットや携帯電話を介して取得された文字情報等をムービー化してユーザに提供する技術に関する。
【背景技術】
【０００２】
番組記述言語（ＴＶＭＬ：TV program Making language）は、テレビジョン放送における番組プログラムを記述するテキストベースの言語である。番組記述言語では、ＣＧオブジェクトやカメラ、照明等の映像演出や音声合成により発音させたい音声演出をイベントタイプに分けて記述することが可能である。特定の番組仕様に記述された番組記述言語を専用の番組記述言語専用再生プログラムが動作するコンピュータ（以下「ＴＶＭＬプレイヤ」という。）に読み込ませることにより、コンピュータグラフィックス（ＣＧ）技術に基づき生成されたＣＧオブジェクトが番組記述言語に記述されたテキストを読んだり、関連する画像がＣＧオブジェクトとともに記録したりすることが可能になっている。
【０００３】
これら番組記述言語の基礎となる技術として、特開平１０−３２６３５４号公報には、音声を整流、波形整形し、発音時間制御をすることにより、ＣＧ映像による俳優像が音声合成による読み上げ音声と同期して動くように制御する技術が開示されている（特許文献１）。
【０００４】
また番組記述言語を利用した番組作成を効率化する技術として、特開２００１−２４６１０号公報には、視聴者に伝える核となる情報データから情報データファイルと演出に必要な演出データとを作成し、ＴＶＭＬで記述された台本（以下「スクリプト」という。）のひな形部分を情報データまたは演出データで置き換えることにより、定型化された番組について効率的な番組制作を可能とする技術が開示されている（特許文献２）。
【０００５】
同様に、特開２００３−４６４６４号公報には、番組の構成順序を示す構成データ、番組の実体内容である内容情報、演出に係る演出情報とが分離され、ひな形となる番組ブロックの一部をこの内容情報や演出情報で置き換えて置換番組ブロックを複数生成して組み合わせることにより、番組制作に係る時間を短縮可能とした技術が開示されている（特許文献３）。
【０００６】
なお、ＴＶＭＬプレイヤについての情報は、所定のＵＲＬで公開されている（非特許文献１）。
【特許文献１】特開平１０−３２６３５４号公報
【特許文献２】特開２００１−２４６１０号公報
【特許文献３】特開２００３−４６４６４号公報
【非特許文献１】http://www.nhk.or.jp/strl/tvml/
【発明の開示】
【発明が解決しようとする課題】
【０００７】
ところで、インターネットや携帯電話の普及によって、文字情報や画像情報の伝達が頻繁に行われるようになってきており、上記番組記述言語を利用して作成したメッセージ交換に対する潜在的需要は非常に高いものと考えられる。
【０００８】
しかしながら、上記番組記述言語を利用するには、言語記述形式に対する十分な知識が必要であることに加え、演出の主体となるＣＧオブジェクトや背景画像を自らモデリングしレンダリングして、ローカルコンピュータに記憶させておかなければならず、一般のユーザが簡単に利用できるものではなかった。
【０００９】
そこで、本発明は、一般ユーザが簡単に番組記述言語により再生された画像および音響情報を取得できる演出配信装置およびその方法を提供することを目的とする。
【課題を解決するための手段】
【００１０】
上記目的を達成するために、本発明の演出配信装置は、番組記述言語に基づく演出を配信する演出配信装置であって、ネットワーク経由で文字情報および必要な演出情報を取得し、文字情報および必要な演出情報に基づいて番組記述言語により記述されたスクリプトを生成し、必要な演出情報を参照しスクリプトに対応したムービーファイルを生成し、ムービーファイルを所定の参照アドレスにネットワークから参照可能に格納し、所定の配信先アドレスに対し参照アドレスにリンク可能な情報を含むメールを送信することを特徴とする。
【００１１】
また本発明の演出配信装置は、番組記述言語に基づく演出を配信する演出配信装置であって、
１）ネットワーク経由で文字情報および必要な演出情報を取得するフロントエンドサーバと、
２）文字情報および演出情報に基づいて番組記述言語により記述されたスクリプトを生成する演出サーバと、
３）必要な演出情報を参照しスクリプトに対応したムービーファイルを生成するレンダリングサーバと、
４）生成されたムービーファイルを格納するアーカイブサーバと、を備える。
そして、フロントエンドサーバは、所定の配信先アドレスに対しアーカイブサーバの参照アドレスにリンク可能な情報を含むメールを送信することを特徴とする。
【００１２】
また本発明の演出配信方法は、番組記述言語に基づく演出を配信する演出配信方法であって、
１）ネットワーク経由で文字情報および必要な演出情報を取得させるステップと、
２）文字情報および必要な演出情報に基づいて番組記述言語により記述されたスクリプトを生成させるステップと、
３）必要な演出情報を参照しスクリプトに対応したムービーファイルを生成させるステップと、
４）ムービーファイルを所定の参照アドレスにネットワークから参照可能に格納するステップと、
５）所定の配信先アドレスに対し参照アドレスにリンク可能な情報を含むメールを送信するステップと、
を備えたことを特徴とする。
【００１３】
係る構成によれば、文字情報および必要な演出情報に基づきスクリプトが生成され、さらにスクリプトに対応したムービーファイルが生成され、ネットワークから参照アドレスによって参照可能なように格納され、所定の配信アドレスに参照アドレスにリンクするための情報を含めたメールが送信される。よって、メールを受信したクライアントは参照アドレスに接続することによって番組記述言語に基づく演出内容が記録されたムービーファイルを参照することが可能となる。クライアントは文字情報および必要な場合にはその演出情報を提供するだけで、番組記述言語を利用して創作された演出画像や演出音響を簡単に入手することが可能となる。
【００１４】
ここで本発明において以下のように用語を定義する。
・「ネットワーク」：インターネット等の大規模ＷＡＮを含むが、携帯電話がキャリアのサーバ経由でインターネットに接続される場合も含む概念である。
・「文字情報」：１バイトまたは２バイトで１文字を表現するＡＳＣＩＩコード、ＪＩＳコード、Ｓｈｉｆｔ−ＪＩＳコード、Ｕｎｉｃｏｄｅ等であって、漢字コードを含む多国籍言語に対応したテキストデータの集合をいう。さらに特定の機種に依存した絵文字を含む情報をいう。
【００１５】
・「演出情報」：ウェブページに表示可能な静止画像データ、動画像データ、または音声データをいう。静止画像データとしては、ＰＮＧ、ＪＰＥＧ、ＧＩＦ、ＴＩＦＦ、ＢＭＰ等の各種形式、動画像データとしては、ＡＶＩ、ＷＭＶ、ＭＰＥＧ、３ＧＰ、３ＧＰ２、Ｍ４Ｖ、ｓｗｆ、ｆｌｖ等の各種形式があり、音声情報を含みうる形式と含まない形式がある。音声データとしては、ＰＣＭ、ＷＭＡ、ＷＡＶ、ＡＤＰＣＭ、ＭＰ３、ＡＴＲＡＣ等の各種形式を含む。「必要な」とオプショナルな要素として記述されているのは、文字情報にこれら演出情報が付随して提供されている場合に取得されるからである。
【００１６】
・「スクリプト」：番組記述言語として、例えば、日本放送協会が開発したＴＶＭＬ言語仕様（Ｖｅｒｓｉｏｎ２．０）に従って記述された番組台本情報をいい、テキストデータで標記されたものをいう。詳細は、番組記述言語の仕様に基づく。
【００１７】
・「ムービーファイル」：画像情報と付随する音声情報とが所定の形式でフォーマット化されたファイルをいい、ＷＭＶ、ＭＰＥＧ、３ＧＰ、３ＧＰ２、Ｍ４Ｖ、ｓｗｆ、ｆｌｖ等の各種形式がある。但し、本発明では、上記スクリプトとスクリプト再生に必要な各種オブジェクトファイルの集合も動画像を再生しうるという観点で「ムービーファイル」の一形態とする。
【００１８】
・「参照アドレスにリンク可能な情報」：インターネット上の特定のＩＰアドレスそのものの他、ＩＰアドレスのリンク情報も含む。また特定のＩＰアドレスであって、そのＩＰアドレスで特定されるウェブサイトから間接的に「参照アドレス」に接続される場合も含まれる。
【００１９】
ここで、本発明において、特定のクライアントから送信されたメールから文字情報および必要な演出情報を取得するように構成してもよい。
係る構成は、ネットワークに接続するＰＣや携帯電話等のクライアントから、メールという手段により文字情報および必要な演出情報を取得する場合である。演出情報は、例えば添付ファイルの形式またはハイパーテキスト形式のメールに付随する画像情報の形式で提供される。ここでメールには、演出配信装置のウェブサーバ等が提供するウェブメールである場合も個別メールである場合も含む。
【００２０】
また本発明において、特定のクライアントから送信されたメールに添付されたファイルから文字情報および必要な演出情報を取得するように構成してもよい。
係る構成は、ネットワークに接続するＰＣや携帯電話等のクライアントから送信されたメールに所定の形式のファイルが添付されていた場合、ファイルの内容から文字情報や必要な演出情報を取得する場合である。添付されるファイルとしては、ワードプロセッサ用の文書ファイル、表計算ソフト用のスプレッドシートファイル、プレゼンテーション用のファイル、ＸＭＬ形式やＨＴＭＬ形式のファイル、各種画像ファイル、それらの圧縮ファイルがあり得る。
【００２１】
また本発明において、特定のクライアントから指定された１以上のウェブページから文字情報および必要な演出情報を取得するように構成してもよい。
係る構成は、ネットワークに接続するＰＣや携帯電話等のクライアントからメール等によりウェブページへのリンク情報（例えばＵＲＬ等）が提供される場合である。そのウェブページのソースから文字情報が提供され、付随する画像情報が提供される。
【００２２】
また本発明において、特定のクライアントから演出に対するプリフェランス情報を取得し、取得したプリフェランス情報に基づきスクリプトを生成するように構成することは好ましい。
【００２３】
係る構成によれば、プリフェランス情報に基づきクライアントの要求する仕様に合致した画像および／または音響を提供するようにスクリプトを適宜カスタマイズして生成することが可能となる。
【００２４】
ここで「プリフェランス情報」に制限は無いが、例えば、ＣＧオブジェクトの種類、背景（スタジオセット）、スーパーインポーズさせる画像や表示フォント、音声合成の声質（男性、女性、子供、老人、ロボット等）、演出方法（例えばニュース風の進行、ＤＪ風の進行）等、画像や音響、演出に影響を与える事項を任意に設定することが可能である。
【００２５】
本発明において、配信先アドレスは、特定のクライアントから取得することが好ましい。
係る構成によれば、ムービーファイルの提供を受けたいクライアントへ生成されたムービーファイルを直接配信することが可能となる。
【００２６】
本発明において、予め指定された１以上のウェブページから定められたタイミングで文字情報および必要な演出情報を取得するように構成してもよい。
係る構成は、予め参照すべきウェブページが定められており、当該ウェブページから文字情報等を収集するようにウェブサーバ等が設定されている場合である。
【００２７】
「定められたタイミング」とは、定められた時刻または定められたインターバル毎に特定のウェブページの情報収集を行うことをいう。例えば、所定のインターバル毎に同じウェブページからデータを読み込み、最後に読み込まれたデータと現在のデータとを比較し、データに差が生じていた場合にはウェブページが更新されたものと判断し、文字情報および必要な演出情報を新たに読み込むように構成することが可能である。
【００２８】
本発明において、文字情報からスクリプトの関連情報を生成し記憶するように構成してもよい。
係る構成によれば、スクリプトの関連情報が記憶されるので、当該関連情報をインデックス情報とすることで、生成されたムービーファイルを検索・利用することが可能である。
【００２９】
本発明において、必要な演出情報に含まれる静止画像情報または動画像情報を利用してスクリプトに対応したムービーファイルを生成するように構成することが可能である。
係る構成によれば、文字情報に付随して静止画像や動画像が存在していた場合にそれらを読み込んで、スクリプトによって指定される画像パーツの一部として利用することができる。例えば、天気図に関する画像情報を読み込んで、天気予報のニュース番組の背景に表示するようなスクリプトが生成可能である。
【００３０】
具体的に、レンダリングサーバは、スクリプトを再生するものであって、スクリプトにより指定された画像および音響を再生する再生部と、再生された画像から連続フレーム画像データを生成し、再生された音響から音響データを記録する記録部と、記録された連続フレーム画像データおよび音響データをムービーファイルに変換する変換部と、を備える。
【００３１】
係る構成によれば、再生部は、番組記述言語の再生装置、すなわちＴＶＭＬプレイヤとして動作する。記録部は、再生された画像をフレームごとに蓄積し、音声合成や音声ファイルにより再生させた音響を記録する。そして変換部は、連続フレーム画像データと音声データとを所定形式のムービーファイルとして一本化する。
【００３２】
なお、本発明の演出配信方法を実行するためのプログラムは、例えばアプリケーションプログラムまたはアドオンプログラムの形式で記憶媒体に格納され、またはネットワーク経由でダウンロード可能に頒布されることで、流通するものである。このような記憶媒体としては、コンピュータに読み取り可能な媒体であり、各種ＲＯＭ、フラッシュメモリを備えたＵＳＢメモリ、ＵＳＢメモリ、ＳＤメモリ、メモリスティック、メモリカードや、ＦＤ、ＣＤ−ＲＯＭ、±Ｒ／Ｗ、ＲＡＭ、ＤＶＤ−ＲＯＭ、±Ｒ／Ｗ、ＲＡＭ、等の物理的な記憶媒体を含む。また広義の記憶媒体として、プログラムを伝送可能なインターネット等の伝送媒体をも含むものとする。伝送媒体を通して伝送されたプログラム（ダウンロード）されたプログラムは、そのままメモリに記憶されて、コンピュータに実行されるものだからである。
【発明の効果】
【００３３】
本発明によれば、文字情報および必要な演出情報に基づきスクリプトが生成され、スクリプトに対応したムービーファイルが生成され、ムービーファイルの参照アドレスが配信されるので、一般ユーザは文字情報および必要な演出情報を提供した後は、参照アドレスに接続することによって、簡単に番組記述言語により再生された画像および音響情報を取得できる。
【発明を実施するための最良の形態】
【００３４】
以下、本発明の好適な実施形態を、図面を参照しながら説明する。ただし、以下の実施形態は本発明の適応例に過ぎず、本発明は実施形態に限定されず種々に変更して適用することが可能である。
【００３５】
（実施形態１）
本発明の実施形態１は、ウェブメールによりクライアントから文字情報等を取得する実施の形態に関する。
【００３６】
（システム全体構成）
図１は、本発明に係る演出配信装置を含む演出配信システム全体図である。
図１に示すように、本実施形態における演出配信システムは、ネットワークＮＷを介して本発明に係る演出配信装置１、クライアント２ａ、クライアント２ｂ、…等が相互に接続されて構成されている。
【００３７】
ネットワークＮＷは、大規模ＷＡＮであり、例えばインターネットである。
クライアント２ａは、パーソナルコンピュータ（ＰＣ）であり、典型的にはコンピュータ装置２０、表示装置２１、入力装置２２等を備える。コンピュータ装置２０は、図示しないが、ＣＰＵ（演算処理部）、プログラムや処理データ等を保持するメモリ、情報を保持するハードディスク装置等を備えている。クライアント２ａは、図示しないサービスプロバイダを通じてネットワークＮＷに接続されている。またクライアント２ａがＬＡＮに接続されている場合には、ルータを介してネットワークＮＷに接続されている。
【００３８】
クライアント２ｂは、携帯用電子機器を意味しており、具体的には携帯電話機、携帯情報端末機（ＰＤＡ）、通信機能を有するゲーム機等であり、公衆回線などの通信路を介して、キャリア会社が運用または関連するサービスプロバイダを介してネットワークＮＷに接続されている。
以下、単に「クライアント」と呼ぶときは、コンピュータ装置や携帯用電子機器であるクライアント２ａや２ｂを操作するユーザを意味するものとする。
【００３９】
（演出配信装置の構成）
図２は、本発明に係る演出配信装置のサーバ構成図である。
図２に示すように、演出配信装置１は、ウェブサーバ１０、フロントエンドサーバ１１、中継サーバ１２、演出サーバ１３、レンダリングサーバ１４、アーカイブサーバ１５、およびコンテンツ集計サーバ１６を備えて構成されている。各サーバは、図示しないが、ＣＰＵ、プログラム・処理データ・データベースを保持する大容量のメモリ、大量の情報を不揮発に保持するハードディスク装置、ＣＰＵに指令等を行う入力装置、情報を画面に表示する表示装置、およびサーバ相互間で通信を行う通信装置等を備える。これらのサーバの構成は一例に過ぎず、複数のサーバを一つのサーバとして編成したり、幾つかのサーバ機能を省略したりすることが可能である。
【００４０】
（ウェブサーバ）
ウェブサーバ１０は、クライアント２ａや２ｂにウェブメール環境を提供する場合に必要なサーバであり、上記構成に加えてネットワークＮＷに接続するための通信装置を備えている。ウェブサーバ１０は、サーバ側にメールの送信・受信を管理するソフトウェアが組み込まれており、クライアント２ａ・２ｂにウェブメール環境を提供可能に構成されている。クライアント２ａ・２ｂ側の閲覧ソフトウェアからウェブサーバ１０に接続することにより、ウェブメール機能を起動してメールの送受信が可能になっている。
【００４１】
ウェブサーバ１０は、一般に公開しているＵＲＬで特定されるアドレスに、ウェブメール機能を提供するウェブページ用ファイルを格納している。クライアント２ａ・２ｂはこのウェブページのＵＲＬを閲覧ソフトウェアから指定することで、演出配信装置１に接続する。特定会員へのみウェブページを公開する場合には、会員登録したクライアントが入力するＩＤおよびパスワードで会員情報の照合を行って、照合結果が一致したアクセスのみにウェブページの公開を許可するように構成してもよい。
【００４２】
ウェブサーバ１０は、接続したクライアント２ａ・２ｂから、必須の入力項目としてクライアントの送信元メールアドレス、本発明に係るムービーファイルの送信先メールアドレス、メール本文、ムービーファイルのファイル形式を受信可能になっている。またオプショナルな入力項目として、メールのタイトル、送信者名、プリフェランス情報を受信可能に構成されている。
【００４３】
ウェブサーバ１０は、ネットワークＮＷからウェブメール情報ｄ１を受信し、フォーマット化したクライアント情報ｄ２を出力するようになっている。クライアント情報ｄ２はウェブメール情報ｄ１のうち、ムービーファイル生成とクライアント管理に必要な情報を抽出した情報となっている。
【００４４】
またウェブサーバ１０は、ムービーメタ情報生成部１３２からムービーファイルのＩＰアドレスを含む参照アドレス情報ｄ１４が供給された場合には、ＩＰアドレスまたはアーカイブサーバ１５にリンクする情報を含めてムービーファイルの完成を報知する告知メールをクライアント２ａ・２ｂに送信可能に構成されている。
【００４５】
なお、ウェブサーバ１０はオプショナルなサーバであり、文字情報等の取得をウェブメール経由で行わない場合には省略可能である。例えば、ウェブメール送受信機能に代えて、電子メールを送受信する機能を利用する場合には、ネットワークＮＷへの接続環境と電子メール送受信用ソフトウェアが動作するコンピュータ装置を利用可能である。またフロントエンドサーバ１１にメール以外の通信により、または、記録媒体からの読み込みにより、文字情報および必要な演出情報を入力する場合にも、ウェブサーバ１０は不要である。
【００４６】
（フロントエンドサーバ）
フロントエンドサーバ１１は、文字情報および必要な演出情報を取得するサーバである。フロントエンドサーバ１１は、クライアント情報ｄ２を参照して番組記述言語で記述されるスクリプトの生成に必要な文字情報および必要な演出情報をフィルタリング機能により抽出し出力するよう構成されている。具体的には、フロントエンドサーバ１１は、原稿文字情報ｄ３、原稿メタ情報ｄ４、画像情報ｄ５、広告情報ｄ６、サーバ情報ｄ７、ムービー形式情報ｄ８を出力する。
【００４７】
原稿文字情報ｄ３は、クライアントから取得した文字情報のうち、番組記述言語に基づき音声合成によって発音させるべき部分の文字情報であり、不要な制御文字が取り除かれたテキストデータである。クライアントがウェブメールに直接文字をタイプした場合にはその文字が文字情報となる。クライアントが提供したメールがＸＭＬ形式やＨＴＭＬ形式の記述言語である場合（ＨＴＭＬメール等）にはタグ情報を取り除いたテキスト部分が文字情報となる。文字情報は、１バイトまたは２バイトで１文字を表現するＡＳＣＩＩコード、ＪＩＳコード、Ｓｈｉｆｔ−ＪＩＳコード、Ｕｎｉｃｏｄｅ等の文字コードである。さらにクライアント２ｂが携帯電話機である場合には機種に依存した絵文字を含む。
【００４８】
原稿メタ情報ｄ４は、クライアントおよびウェブメールを特定するための関連情報であり、例えば、ウェブメール受信の日時、メールのタイトル、送信者名、プリフェランス情報、クライアントが法人である場合の法人名、映像ジャンル、著作権情報等が含まれる。
【００４９】
画像情報ｄ５は、ウェブページの表示に利用されていたイメージデータ一般であり、静止画像データや動画像データを含む。またウェブページが音声データ提供可能に構成されていた場合にはその音声データも含む。ウェブページにこれら画像や音響に属するデータが一切使用されていない場合には、画像情報が存在しない場合もありうる。
【００５０】
広告情報ｄ６は、クライアントが法人である場合の法人名や商標（ロゴマーク）情報である。
【００５１】
サーバ情報ｄ７は、クライアントそのものに関する情報であり、送信元メールアドレス、送信先メールアドレス、パスワードが設定されている場合にはクライアントのパスワード、ウェブページを提供するウェブサイトのＵＲＬ等を含む。
【００５２】
ムービー形式情報ｄ８は、クライアントが選択したムービーファイルの形式である。
【００５３】
（中継サーバ）
中継サーバ１２は、フロントエンドサーバ１１と演出サーバ１３とを接続するサーバであり、演出サーバが複数設けられている場合に必要となるオプショナルなサーバである。中継サーバ１２は、複数の演出サーバの動作状況を監視し、稼働していない演出サーバに対して上記データｄ３〜ｄ８を出力するように動作する。多数のクライアントが一時に接続することが予想される場合に分散処理により処理高速化を図るための構成である。
【００５４】
（演出サーバ）
演出サーバ１３は、文字情報および演出情報に基づいて番組記述言語により記述されたスクリプトを生成するサーバであり、具体的には、図３に示すような構成を備える。
図３に示すように、演出サーバ１３は、スクリプト生成部１３０、スクリプト記憶部１３１、およびムービーメタ情報生成部１３２を備える。
【００５５】
スクリプト生成部１３０は、文字情報および必要な演出情報に基づいて番組記述言語で記述されたスクリプトを生成する機能ブロックである。すなわちスクリプト生成部１３０は、番組記述言語の仕様に併せて、予め用意されているＣＧオブジェクト（キャラクタオブジェクトであって３Ｄコンピュータグラフィックス技術によりモデリングされレンダリングされる表示体）に所定の動きをさせる指示情報や、原稿文字情報ｄ３に基づいて音声合成をさせて発音させる指示情報等を列記して、原稿の読み始めから終了までの一連のシーケンスを記述したスクリプトを生成する。
【００５６】
番組記述言語は、言語毎の仕様に従うが、例えば日本放送協会提供のＴＶＭＬ（Ｖｅｒｓｉｏｎ  ２．０）によれば、改行で区切られた１行が一つのイベントに対応し、次の書式で記述される。
[イベントタイプ]:[コマンド名](arg1=data1, arg2=data2, arg3=data3, …)
【００５７】
「イベントタイプ」は、操作するＣＧや音声等の制御対象を示す部分で、コマンド名で示される制御内容と組になって、特定の制御対象に特定の制御・動作を行わせることが可能となっている。コマンドの種類には、次のようなものがある。
【００５８】
ＣＧキャラクタに対する設定や動作制御を指示するキャラクタコマンド、
ＣＧキャラクタを画像化する視点に関するカメラコマンド、
ＣＧキャラクタの背景を構成するＣＧスタジオセットコマンド、
ＣＧキャラクタの周辺に配置するＣＧ小道具コマンド、
照明条件を設定するＣＧ照明コマンド、
【００５９】
ムービーファイルを取り込む場合の再生指示に関するムービーコマンド、
題名をテロップ表示させるタイトルコマンド、
画像や字幕を挿入するためのスーパーインポーズコマンド、
音声ファイルの操作制御するサウンドコマンド、
ナレーションを制御するナレーションコマンド、
二次元画像を表示制御する２Ｄドローイングコマンド、
特殊効果を付与するＣＧエフェクトコマンド。
【００６０】
例えば、キャラクタコマンドであれば、
character:walk(name, x, y, z, d, pitch, compass, step, wait)
と記述すれば、“name”で特定されるＣＧオブジェクトを特定の空間位置から歩かせるような画像を表示させるコマンドラインとなる。
【００６１】
ここで、スクリプト記憶部１３１には、予めひな形となるスクリプトが何種類か記憶されている。ひな形スクリプトとは、一つの番組（ムービー）を進行させる複数のコマンドのまとまりであって、パターン化された汎用性のあるスクリプトである。ひな形スクリプトはムービ−の演出方法を定める単位であり、クライアントによって選択可能な要素である。例えば、「ニュース風」、「ＤＪ風」といった演出方法を選択可能であり、演出方法ごとに、キャラクタの動き方、カメラの動き、小道具、照明等を操作するコマンドの組合せからなるひな形スクリプトが予め記憶されている。「ニュース風」を選択すれば、テレビジョン番組でアナウンサーがニュースを放映するような堅実な雰囲気の演出が提供される。「ＤＪ風」を選択すれば、クラブでＤＪが音楽を説明するような軽い雰囲気の演出が提供される。
【００６２】
番組記述言語はインタプリタ形式の言語であるため、実行時に記述されているコマンドに従って演出が進行するため、実行直前にひな形スクリプトを構成するコマンドに含まれるＣＧキャラクタ、スタジオセット（背景）、サウンドを指定する部分の記述を変更し、演出内容を変更することが可能である。ＣＧキャラクタやスタジオセットは、クライアントが選択可能であり、サウンドは選択されたＣＧキャラクタに併せて変更可能である。
【００６３】
スクリプト生成部１３０は、クライアントによって選択された演出方法に対応するひな形スクリプトをスクリプト記憶部１３１から読み出す。そして、選択されたＣＧキャラクタに併せてひな形スクリプトのキャラクタ名称指定部分を変更し、選択されたＣＧキャラクタに適合する音声ファイル名を参照するようにサウンドコマンドの音声ファイル指定部分を変更する。また選択された背景に対応するファイルを参照するようにスタジオセットコマンドのファイル指定部分を変更する。クライアントによって選択されるこれら要素は、原稿メタ情報ｄ４に含まれるプリフェランス情報を参照することによって把握する。
【００６４】
例えば、ＣＧキャラクタとしては、「女の子」、「うさぎ」、「男性キャスター」、「マダム」等が設定可能であり、スタジオセット（背景）としては、「スタジオ」、「室内」、「野外」等が指定可能であり、サウンドとしては、それぞれのＣＧキャラクタに併せた音声が設定可能である。これら設定可能な画像要素や音響要素は、総てレンダリングサーバ１４にデータが存在しレンダリング可能となっているものに限られる。
【００６５】
スクリプト生成部１３０は、ひな形スクリプトのうち日付を表示させるコマンドを、原稿メタ情報ｄ４に含まれるウェブメール受信の日時で書き換える。またスーパーインポーズコマンドのうちムービータイトルを記述する部分を、原稿メタ情報ｄ４に含まれるメールのタイトルで書き換える。同様に、氏名を表示させるコマンドを、原稿メタ情報ｄ４に含まれる送信者名で書き換える。その他、法人名、映像ジャンル、著作権情報を表示させるコマンドがある場合にはそれらの該当部分を書き換える。生成されたスクリプトはスクリプトｄ９として出力される。
【００６６】
ムービーメタ情報生成部１３２は、レンダリングサーバ１４により生成されたムービーファイルｄ１２にファイル名を付与してアーカイブサーバ１５に記憶する。そしてそのムービーファイルｄ１２のファイル名に関連づけて、フレーム数（映像時間）、レンダリングサーバ１４のＩＰアドレス、サーバ情報ｄ７に含まれる送信元メールアドレス、送信先メールアドレス等を含むムービーメタ情報ｄ１３を生成し、コンテンツ集計サーバ１６に記憶する。
【００６７】
またムービーメタ情報生成部１３２は、アーカイブサーバ１５に格納したムービーファイルｄ１２のＵＲＬを含む参照アドレス情報ｄ１４を中継サーバ１２、フロントエンドサーバ１１経由で、ウェブサーバ１０に通知する。
【００６８】
（レンダリングサーバ）
レンダリングサーバ１４は、必要な演出情報を参照し、生成されたスクリプトに対応したムービーファイルを生成するサーバであり、具体的には図４に示すような構成を備える。
【００６９】
図４に示すように、レンダリングサーバ１４は、再生部１４０、オブジェクト記憶部１４１、記録部１４２、ハードディスク１４３、および変換部１４４を備えている。
【００７０】
オブジェクト記憶部１４１には、スクリプトに記述され利用されうる各種データが予め記憶されている。例えば、指定されうるＣＧキャラクタを表示させるオブジェクトファイル群（ｂｍ、ｂｍｏ、ｏｂｊ、ｇｅｏｍ形式）、指定されうる背景を表示させるオブジェクトファイル群（ｏｂｊ、ｇｅｏｍ形式）、小道具を表示させるオブジェクトファイル群（ｏｂｊ、ｇｅｏｍ形式）、選択されうる音声を発音させるサウンドファイル群（ＷＡＶ、ｍｐ３形式）、送出される動画像を表示させるムービーファイル群（ＡＶＩ形式）、静止画像を表示させる静止画像ファイル群（ＪＰＥＧ、ＴＩＦＦ形式）、モーションキャプチャファイル群（ＢＶＨ形式）が存在する。
【００７１】
さらにクライアントからのメールに画像情報ｄ５や広告情報ｄ６が含まれている場合には、それがサウンドファイルであるか、ムービーファイルであるか、静止画像ファイルであるかに応じて、オブジェクト記憶部１４１に追記される。これらは特定クライアントのムービーファイル生成のためのみに利用されるように、予め記憶されているデータとは区別されて記憶される。
【００７２】
再生部１４０は、スクリプトを逐一読み込んでいき、オブジェクト記憶部１４１に記憶された各種画像・音響情報を参照しながら、スクリプトｄ９により指定された画像および音響を再生する機能ブロックである。具体的には、再生部１４０は、日本放送協会提供のＴＶＭＬプレイヤおよび外部制御モジュール（ＴｖＩＦ）によって構成される。再生部１４０は、スクリプトｄ９に記述されているコマンドラインを一行ずつ読み込んでいき、対象となるイベントに対し指定されたコマンドに対応した制御をする。例えば上記キャラクタコマンドが含まれていたら、再生部１４０は、“name”で指定されたＣＧキャラクタのオブジェクトファイル群をオブジェクト記憶部１４１から読み出し、ＣＧキャラクタがコマンドで指定された位置から指定の歩幅、速度で「歩く」動画像データを出力する。またサウンドコマンドが指定されていたら、再生部１４０は、指定されたサウンドファイル群をオブジェクト記憶部１４１から読み出し、原稿文字情報ｄ３から抽出されコマンドに記述された「台詞」を音声合成により発音させるためのサウンドデータを出力する。
【００７３】
記録部１４２は、再生部１４０から出力される連続イメージデータをイメージデータｄ１０としてハードディスク１４３に蓄積する。また記録部１４２は、再生部１４０から出力されるサウンドデータをサウンドファイルｄ１１としてハードディスク１４３に記憶する。
【００７４】
変換部１４４は、ハードディスク１４３に蓄積されたイメージデータｄ１０およびサウンドファイルｄ１１をムービー形式情報ｄ８で指定されたムービーファイル形式に変換し、ムービーファイルｄ１２として出力する。具体的には、指定されたムービーファイル形式に適合するように、画像と音声の各トラックに対する圧縮レートや帯域を制限し、画像のキャプチャレート（単位時間当たりにキャプチャするフレーム数）で画像をキャプチャしたムービーファイルを生成する。
【００７５】
（アーカイブサーバ）
アーカイブサーバ１５は、生成されたムービーファイルｄ１２をネットワークＮＷから参照可能に格納するサーバである。このアーカイブサーバ１５のＵＲＬを含む参照アドレス情報ｄ１４は、演出サーバ１３のムービーメタ情報生成部１３２から、中継サーバ１２，フロントエンドサーバ１１、ウェブサーバ１０経由でクライアントにメールで通知される。
【００７６】
アーカイブサーバ１５は、クライアント２ａ・２ｂからムービーファイルｄ１２のアクセス要求があると、コンテンツ集計サーバ１６に照合要求を送出する。そしてコンテンツ集計サーバ１６から正しいアクセスである旨が通知されたら、該当するムービーファイルｄ１２をネットワークＮＷ経由でクライアントに送出する。
【００７７】
（コンテンツ集計サーバ）
コンテンツ集計サーバ１６は、演出サーバ１３のムービーメタ情報生成部１３２が生成したムービーメタ情報ｄ１３を格納する。ムービーメタ情報ｄ１３には、前述したようにムービーファイルｄ１２のファイル名、フレーム数（映像時間）、レンダリングサーバ１４のＩＰアドレス、送信元メールアドレス、送信先メールアドレス等が含まれる。
【００７８】
コンテンツ集計サーバ１６は、アーカイブサーバ１５からムービーファイルの照合要求ｄ１６が通知されたら、ムービーメタ情報ｄ１３を検索し、送信先メールアドレスが適合しているか等の整合判断を実施し、正しいアクセスであると判断できたらその旨をアーカイブサーバ１５に通知する。
【００７９】
（動作の説明）
次に図５のシーケンスチャートに基づいて、本実施形態における動作を説明する。
ステップＳ１００において、クライアントが閲覧ソフトウェアからＵＲＬを指定してウェブサーバ１０のウェブページにアクセスすることにより、本演出配信装置１のウェブサーバ１０に接続され、クライアントによりウェブメールが入力可能となる。当該サービスを会員制としている場合には、ウェブサーバ１０は、ＩＤおよびパスワードの一致を条件として当該ウェブページを公開する。
【００８０】
図６にウェブサーバ１０が提供するウェブページの表示例を示す。
図６に示すように、このウェブページには、送信元メールアドレス、送信先メールアドレス、送信者名、メールタイトル、メール本文が入力可能になっている。メール本文については、携帯電話機で使用される絵文字を入力してもよい。クライアントにより、それぞれの入力欄に適当なテキストが入力される。
【００８１】
また当該ウェブページにおいて、クライアントのプリフェランス情報をリストから選択して入力することが可能となっている。「話者」のリストボックスでは、本演出配信装置１において表示可能なＣＧキャラクタの種類がリスト表示され、クライアントの好みに従って一つのＣＧキャラクタが選択可能になっている。「演出タイプ」のリストボックスでは、本演出配信装置１においてひな形として用意してあるスクリプトに対応した演出方法がリスト表示され、一つの演出方法が選択可能になっている。「背景」のリストボックスでは、本演出配信装置１において表示可能なスタジオセットがリスト表示され、一のスタジオセットが選択可能になっている。また「ムービータイプ」のリストボックスでは、本演出配信装置１において変換可能なムービーファイル形式がリスト表示され、クライアントの受け取りたい一つのムービーファイル形式を指定可能になっている。
【００８２】
ウェブサーバ１０は、これらの情報をクライアント情報ｄ２としてフロントエンドサーバ１１に出力する。
【００８３】
ステップＳ１０２において、フロントエンドサーバ１１は、クライアント情報ｄ２のうち、メール本文に相当する部分を抽出して原稿文字情報ｄ３を生成する。演出に不必要な制御文字がテキストデータに含まれている場合には、取り除かれる。標準的な文字コード以外では絵文字情報が含まれている場合には、それを原稿文字情報ｄ３に含める。
【００８４】
ステップＳ１０４において、フロントエンドサーバ１１は、クライアント情報ｄ２のうち、文字情報以外の関連情報を抽出して原稿メタ情報ｄ４を生成する。原稿メタ情報ｄ４に含められる情報は、ウェブメール受信の日時、メールのタイトル、送信者名、プリフェランス情報、クライアントが法人である場合の法人名、映像ジャンル、著作権情報等である。
【００８５】
ステップＳ１０６において、フロントエンドサーバ１１は、クライアント情報ｄ２のうち、画像に関する情報が含まれていたらそれを抽出し、画像情報ｄ５として出力する。画像情報ｄ５に含められるデータには、静止画像データや動画像データが存在する。またウェブページが音声データ提供可能に構成されていた場合にはその音声データも含む。これらの画像データはそれぞれにファイル名が付与される。ウェブページにこれら画像や音響に属するデータが一切使用されていない場合には、画像情報が存在しない場合もある。また、フロントエンドサーバ１１は、クライアント情報ｄ２に法人名やロゴマークが含まれていたら、これらを広告情報ｄ６として出力する。
【００８６】
ステップＳ１０８において、フロントエンドサーバ１１は、クライアント情報ｄ２から、クライアント２ａ・２ｂを特定する情報を抽出し、サーバ情報ｄ７として出力する。例えば、送信元メールアドレス、送信先メールアドレス、パスワードが設定されている場合にはクライアントのパスワード、ウェブページを提供するウェブサイトのＵＲＬが含められる。
【００８７】
ステップＳ１１０において、フロントエンドサーバ１１は、クライアントがウェブページから指定したムービーファイル形式および画像サイズをムービー形式情報ｄ８に含める。
【００８８】
ステップＳ１１２において、演出サーバ１３のスクリプト生成部１３０は、原稿文字情報ｄ３、必要に応じて原稿メタ情報ｄ４、画像情報ｄ５を参照して、番組記述形式のスクリプトを生成していく。まず、スクリプト生成部１３０は、原稿メタ情報ｄ４に含まれるプリフェランス情報のうち、クライアント選択した演出形式を参照し、対応するひな形スクリプトをスクリプト記憶部１３１から読み出す。そして、プリフェランス情報に含まれる、クライアント指定のＣＧキャラクタおよびスタジオセットを表示対象オブジェクトとするようにひな形スクリプトの該当箇所のオブジェクト名を書き換える。また指定されたＣＧキャラクタに対応させて、ひな形スクリプト中の音声ファイル名を書き換える。
【００８９】
ここで、スクリプト生成部１３０は、原稿文字情報ｄ３に絵文字情報が含まれていた場合、その絵文字情報に対応させて、ＣＧキャラクタの表情を制御するコマンドを適宜変更する。
【００９０】
図７に、絵文字と対応するＣＧキャラクタの表情の表示例を示す。
原稿文字情報「貴方が怖い」の次に図示の絵文字が付与されていた場合、スクリプト生成部１３０はこの文字列を音声合成させるコマンドとともに、ＣＧキャラクタに「恐れ」を表現する表情をさせるコマンドを生成する。同様に、図示したような絵文字に応じて「悲しみ」、「喜び」、「怒り」の各表現をＣＧキャラクタにさせるコマンドを生成する。「通常」の表現を示す２つの絵文字の組合せを読み込んだら、スクリプト生成部１３０はそれまでの表情をリセットし、通常の表情となるようなコマンドを生成する。
【００９１】
ステップＳ１１４において、レンダリングサーバ１４の再生部１４０は、スクリプトｄ９を１行ずつ読み込み解釈し、指定されているＣＧオブジェクト関連ファイル、スタジオセット関連ファイル、プロップ関連ファイル、ムービー関連ファイル、イメージ関連ファイル、モーションキャプチャ関連ファイルを逐次オブジェクト記憶部１４１から読み出して再生する。
【００９２】
ステップＳ１１６において、レンダリングサーバ１４の記録部１４２は再生された画像を連続イメージデータｄ１０としてハードディスク１４３に記憶し、再生された音響をサウンドファイルｄ１１としてハードディスク１４３に記憶する。
【００９３】
再生部１４０によるスクリプトｄ９の逐一読み込みと再生（Ｓ１１４）、記録部１４２による蓄積記録（Ｓ１１６）とが、スクリプトｄ９が終了するまで繰り返される。
【００９４】
ステップＳ１１８において、スクリプトｄ９の再生が総て終了すると、レンダリングサーバ１４の変換部１４４が、ムービー形式情報ｄ８で指定されたムービーファイル形式・画素数となるよう、連続イメージデータｄ１０とサウンドファイルｄ１１とからムービーファイルｄ１２を生成する。
【００９５】
ステップＳ１２０において、ムービーファイルｄ１２が出力されると、ムービーメタ情報生成部１３２は、ムービーファイルｄ１２にファイル名を付与して、フレーム数、レンダリングサーバ１４のＩＰアドレス、送信元メールアドレス、送信先メールアドレス等を含むムービーメタ情報ｄ１３を生成し、コンテンツ集計サーバ１６に記憶する。
【００９６】
ステップＳ１２２において、さらにムービーメタ情報生成部１３２は、ムービーファイルｄ１２をアーカイブサーバ１５に記憶する。
【００９７】
ステップＳ１２４において、ムービーメタ情報生成部１３２は、ムービーファイルｄ１２のＵＲＬを含む参照アドレス情報ｄ１４をウェブサーバ１０に通知し、ウェブサーバ１０はこの参照アドレス情報ｄ１４を含むメールを送信先メールアドレスに対して送信する。
【００９８】
ステップＳ１２６において、送信先メールアドレスのアカウントを有するクライアントは、ネットワークＮＷ経由でこのメールを受信する。
【００９９】
ステップＳ１２８において、送信先のクライアントは、メールに含まれる参照アドレス情報ｄ１４に基づきアーカイブサーバ１５に接続する。
【０１００】
ステップＳ１３０において、演出配信装置１のアーカイブサーバ１５は、コンテンツ集計サーバ１６に対し照合要求ｄ１６を出力する。コンテンツ集計サーバ１６は、ムービーメタ情報ｄ１３を検索し、接続をしてきたクライアントのアカウント情報と照合し、一致すればアクセスを許可すべき旨の、不一致であればアクセスを許可しない旨の回答を出力する。アーカイブサーバ１５は、照合結果に応じて該当するムービーファイルｄ１２の読み出し許可・不許可を制御する。
【０１０１】
ステップＳ１３２において、アクセスが許可された場合には、クライアントの操作に応じてムービーファイルｄ１２がダウンロードされ、クライアントのムービー再生アプリケーションで再生される。
【０１０２】
以上、本実施形態１によれば、次のような利点を有する。
（１）本実施形態によれば、ウェブメールによって提供されたメール本文や関連する画像、プリフェランス情報に基づきスクリプトｄ９が生成され、スクリプトｄ９に対応したムービーファイルｄ１２が生成され、参照アドレスにリンクするための情報を含めたメールが送信先メールアドレスに送信されるので、メールを受信したクライアントは参照アドレスに接続することによって番組記述言語に基づく演出内容が記録されたムービーファイルを参照することが可能となる。よって、ウェブメールに入力するだけで、一般ユーザが番組記述言語を利用して創作された演出画像や演出音響を簡単に入手することができる。
【０１０３】
（２）本実施形態によれば、文字情報に絵文字が含まれていた場合にそれをＣＧキャラクタの表情として表現させることができるので、メール送信者の意図に沿ったＣＧキャラクタの表情設定が細やかに行える。
【０１０４】
（３）本実施形態によれば、ウェブメールに画像情報や音声情報を含めた場合でもそれをムービーの一部として挿入させることができるので、クライアント自ら、送信先クライアントのために作成したような画像や音声も含めた情報量の多いムービーファイルを簡単に提供可能である。
【０１０５】
（４）本実施形態によれば、多様なファイル形式の静止画データ、動画像データ、音声データ、ムービーファイル形式に対応可能としたので、クライアントが使用するＰＣ環境、送信先クライアントのＰＣ環境に拘束されることなく、ムービーファイルの作成依頼や鑑賞が可能になる。
【０１０６】
（５）本実施形態によれば、ひな形スクリプトを何種類か用意し、プリフェランス情報に応じてＣＧキャラクタやスタジオセットを変更可能としたので、クライアントの好みに応じてカスタマイズされたムービーファイルを簡単に提供可能である。
【０１０７】
（実施形態２）
本発明の実施形態２は、ウェブメールにおいて、添付ファイルからムービーファイルを作成する実施の形態に関する。
【０１０８】
本実施形態に関する演出配信装置のサーバ構成は、前記実施形態１と同様であり、その説明を省略する。ただし、ウェブサーバ１０およびフロントエンドサーバ１１における動作が若干異なる。
【０１０９】
図８に、本実施形態２において、ウェブサーバ１０が提供するウェブページの表示例を示す。図８に示すように、本実施形態のウェブページからは、送信元メールアドレス、送信先メールアドレス、送信者名、メールタイトル、各種プリフェランス情報を入力可能となっている点では上記実施形態１と同様であるが、メール本文に代えて、電子ファイルが添付可能になっている点で異なる。
【０１１０】
添付可能な電子ファイルとしては、ワードプロセッサ用の文書ファイル、表計算ソフト用のスプレッドシートファイル、プレゼンテーション用のファイル、ＸＭＬ形式やＨＴＭＬ形式のファイル、各種画像ファイル、それらの圧縮ファイルが挙げられる。当該演出配信装置１で読み取り可能な電子ファイル形式を定めて、それ以外のファイル形式の添付ファイルを受け付けないように構成してもよい。
【０１１１】
ステップＳ１００において、クライアントはウェブページにおいてムービ−化したい情報を含む電子ファイルを添付する。ウェブサーバ１０は、添付された電子ファイルをそのままクライアント情報ｄ２に含めて転送する。
【０１１２】
ステップＳ１０２において、フロントエンドサーバ１１は、転送された電子ファイルを読み出し、テキストデータに相当する部分を抽出して原稿文字情報ｄ３を生成する。電子ファイルがＸＭＬやＨＴＭＬ形式で記述されているような場合には、不要なタグ情報が取り除かれる。
【０１１３】
ステップＳ１０６において、フロントエンドサーバ１１は、転送された電子ファイルに画像に関する情報が含まれていたらそれを抽出し、画像情報ｄ５として出力する。
【０１１４】
それ以降の処理については、上記実施形態１と同様である。
なお、図８では添付された電子ファイルが文字情報および画像情報の供給源となっていたが、実施形態１と同様にメール本文を添付ファイルとは別に記入可能に構成してもよい。この場合、メール本文と添付された電子ファイルをそれぞれどのようにムービーに反映させるのかを指示するようにウェブページを構成することが好ましい。メール本文を演出の特定部分（例えば冒頭）に用い、添付された電子ファイルを演出の他の部分（例えば後半）に用いるといった選択をさせることが可能である。
【０１１５】
以上、本実施形態２によれば、添付した電子ファイルからムービーファイルを生成可能に構成したので、クライアントが所有している特定の原稿を添付ファイルとすることによりムービ−ファイル化することができる。
【０１１６】
例えば、特定のウェブページのＸＭＬを電子ファイル化し添付ファイルとして送信することで、それぞれのファイルに含まれる文字情報を発音させながら、含まれている画像をムービ−に含めることができる。
【０１１７】
また例えば、本の原稿を文書ファイルとして送信すれば、ＣＧキャラクタに本を朗読させるようなムービ−ファイルを簡単に作成可能である。
【０１１８】
さらにまた、気象概況（テキスト）と天気図（画像）を含む文書ファイルまたはハイパーテキストファイルを添付ファイルとして送信すれば、天気予報や気象概況を解説する番組のムービ−ファイルを簡単に作成可能である。
【０１１９】
（実施形態３）
本発明の実施形態３は、特定のウェブページを継続的にムービ−ファイル化する実施の形態に関する。
【０１２０】
図９は、本実施形態３に係る演出配信装置を含む演出配信システム全体図である。
図９に示すように、本実施形態３における演出配信システムでは、ネットワークＮＷにウェブサイト３ａのウェブサーバ３０が接続されている点で、上記実施形態１と異なる。
【０１２１】
ウェブサーバ３０は、図示しないが、ＣＰＵ、プログラム・処理データ・データベースを保持する大容量のメモリ、大量の情報を不揮発に保持するハードディスク装置、ＣＰＵに指令等を行う入力装置、情報を画面に表示する表示装置、およびネットワークＮＷとの通信を行う通信装置等を備える。ウェブサーバ３０は、各種のサービスプログラムを実行可能に構成されており、ネットワークＮＷからアクセス可能な固有のＩＰアドレスが割り当てられている。ハードディスクには参照先のブラウザにウェブページを表示させるためのＸＭＬ形式やＨＴＭＬ形式で記述された情報、付随する静止画情報、動画像情報、音声情報等が格納されている。階層化された複数のウェブページにより一つのウェブサイトを提供可能に構成されている。
【０１２２】
本実施形態に関する演出配信装置１のサーバ構成は、前記実施形態１と同様であり、その説明を省略する。ただし、ウェブサーバ１０およびフロントエンドサーバ１１における動作が若干異なる。
【０１２３】
図１０に、本実施形態３において、ウェブサーバ１０が提供するウェブページの表示例を示す。
図１０に示すように、本実施形態のウェブページからは、送信元メールアドレス、送信先メールアドレス、送信者名、メールタイトル、各種プリフェランス情報を入力可能となっている点では上記実施形態１と同様であるが、メール本文に代えて、ムービ−化対象ＵＲＬを指定可能になっている点で異なる。ＵＲＬの他、ＩＰアドレスで対象とするウェブページを指定可能である。
【０１２４】
ステップＳ１００において、クライアントはウェブページにおいてムービ−化したいウェブページのＵＲＬ等のアドレス情報を入力する。ウェブサーバ１０は、指定されたＵＲＬのウェブページに接続し、提供されるＸＭＬまたはＨＴＭＬ等のハイパーテキスト形式のファイルを取得する。そしてそのハイパーテキスト形式のファイルをクライアント情報ｄ２に含めて出力する。
【０１２５】
ステップＳ１０２において、フロントエンドサーバ１１は、転送されたハイパーテキスト形式のファイルを読み出し、テキストデータに相当する部分を抽出して原稿文字情報ｄ３を生成する。その際、不要なタグ情報は取り除かれる。
【０１２６】
ステップＳ１０６において、フロントエンドサーバ１１は、転送されたハイパーテキスト形式のファイルに画像に関する情報が含まれていたらそれを抽出し、画像情報ｄ５として出力する。それ以降の処理については、上記実施形態１と同様である。
【０１２７】
ここで、図１０に示すように、ウェブページの取得を一回のみにするか、更新される度に取得するようにするかを指定可能になっている。更新される度に配信を希望する欄にチェックされていなければ、ウェブサーバ１０はウェブメール受信直後に対象となるウェブページから情報を取得するだけである。一方、更新される度に配信を希望する欄にチェックされていれば、ウェブサーバ１０は、第１回目を読み込んでムービ−ファイル化した後、定期的に該当するウェブページを読みに行く。そして最近読み込んだデータとの差分を演算し、差分が生じていればウェブページが更新されたものとして再度ウェブページから情報を取得しに行く。
【０１２８】
以上、本実施形態３によれば、指定したウェブページからムービーファイルを生成可能に構成したので、所望のウェブページのムービ−ファイル化して楽しむことが可能である。
【０１２９】
また本実施形態３によれば、対象となるウェブページが更新される度にムービ−化された旨のメールが通知されるので、特定のウェブページの更新状況を監視することが可能である。
【０１３０】
さらに本実施形態３によれば、任意のウェブページをムービ−ファイル化できるので、一部の携帯型電子機器のように、特定のウェブページを直接閲覧することはできないが、ムービ−ファイルなら再生することができる機種に対して、この特定のウェブページをムービ−ファイル化してメール送信するよう設定すれば、機種に依存せずどのようなウェブページであっても内容を閲覧することが可能となる。
【０１３１】
さらにまた本実施形態３によれば、特定のウェブページをムービ−ファイル化して提供することが可能であるため、ウェブページの管理者に新たな宣伝広告手段を提供することができる。例えばウェブページ管理者自身が自らのウェブページをムービ−ファイル化して、一般顧客に提供することができる。また、ムービ−ファイル提供者がウェブページ管理者のためにウェブページのムービ−ファイル化をし、ムービ−ファイルを提供するような便宜を図ることができるので、ムービ−ファイル提供者とウェブページ管理者との間で新たなビジネスを展開することも可能である。
【０１３２】
（変形例）
本発明は、上記に限定されることなく種々に変形して実施することが可能である。
例えば、上記実施形態１および２では、ウェブメールによりクライアントから文字情報等を取得するよう構成していたが、電子メールにより文字情報等を取得するように構成してもよい。例えば、電子メールのタイトルをメールタイトルとしてメタ情報化し、メール本文を文字情報としてスクリプト化することが可能である。また実施形態２と同様に添付ファイルからスクリプト化・ムービ−ファイル化することも可能である。
【０１３３】
また、上記実施形態では、ムービ−ファイルをクライアントに提供することとしたが、必ずしもこれに限定されない。クライアントがＴＶＭＬプレイヤなどの番組記述言語の再生装置を備えているのであれば、クライアントに対して生成したスクリプトと必要なオブジェクトファイルを送信すればクライアント側でスクリプトに基づく番組再生が可能となる。また予めＴＶＭＬプレイヤと必要なオブジェクトをクライアントに提供しておくものとすれば、容量の少ないスクリプトのみをメール等でクライアントに提供し同様の再生をさせることもできる。
【図面の簡単な説明】
【０１３４】
【図１】実施形態１の演出配信装置を含むシステム全体図。
【図２】実施形態に係る演出配信装置のサーバ構成図。
【図３】演出サーバの機能ブロック図。
【図４】レンダリングサーバの機能ブロック図。
【図５】実施形態に係る演出配信装置の動作を説明するフロー図。
【図６】実施形態１に係るウェブメール送信用ウェブページ表示例。
【図７】絵文字を含んだテキストのスクリプト化を説明する図。
【図８】実施形態２に係るウェブメール送信用ウェブページ表示例。
【図９】実施形態３の演出配信装置を含むシステム全体図。
【図１０】実施形態３に係るウェブメール送信用ウェブページ表示例。
【符号の説明】
【０１３５】
１  演出配信装置、２ａ・２ｂ  クライアント、３ａ  ウェブサイト、１０  ウェブサーバ、１１  フロントエンドサーバ、１２  中継サーバ、１３  演出サーバ、１４  レンダリングサーバ、１５  アーカイブサーバ、１６  コンテンツ集計サーバ、２０  コンピュータ装置、２１  表示装置、２２  入力装置、３０  ウェブサーバ、１３０  スクリプト生成部、１３１  スクリプト記憶部、１３２  ムービーメタ情報生成部、１４０  再生部、１４１  オブジェクト記憶部、１４２  記録部、１４３  ハードディスク、１４４  変換部、ｄ１  ウェブメール情報、ｄ２  クライアント情報、ｄ３  原稿文字情報、ｄ４  原稿メタ情報、ｄ５  画像情報、ｄ６  広告情報、ｄ７  サーバ情報、ｄ８  ムービー形式情報、ｄ９  スクリプト、ｄ１０  連続イメージデータ、ｄ１１  サウンドファイル、ｄ１２  ムービーファイル、ｄ１３  ムービーメタ情報、ｄ１４  参照アドレス情報、ｄ１６  照合要求、ＮＷ  ネットワーク
【図２】
2009033257.tif 000003
【図３】
2009033257.tif 000004
【図４】
2009033257.tif 000005
【図５】
2009033257.tif 000006
【図６】
2009033257.tif 000007
【図７】
2009033257.tif 000008
【図８】
2009033257.tif 000009
【図１０】
2009033257.tif 000010
【図１】
2009033257.tif 000011
【図９】
2009033257.tif 000012